(57)【要約】【課題】  蓋をはがすときに、容器から中身が飛び出すのを抑えた包装容器を提供する。【解決手段】  包装容器１０は、開口部１８を備える容器１２と、開口部１８の周縁に付着されている蓋１４を備えている。蓋１４は、開口部１８を覆う基部１９と、基部１９の外側に設けられた第一つまみ２０および第二つまみ２２を備えている。第一上つまみ部２４は、開口部１８の外方向に伸びた第一つまみ２０の一部分である。第一下つまみ部２６は、第一上つまみ部２４の先端から下方に折り返された第一つまみ２０の一部分である。第二上つまみ部２８は、開口部１８の外方向に伸びている第二つまみ２２の一部分である。第二下つまみ部３０は、第二上つまみ部２８の先端から下方に折り返された第二つまみ２２の一部分である。【選択図】  図２
2017218162.tif 000002
【特許請求の範囲】
【請求項１】
開口部を備える容器と、前記開口部の周縁に付着された蓋とを有し、
前記蓋が、前記開口部を覆う基部と、前記基部の外側に設けられた第一つまみを備え、
前記第一つまみが、前記開口部の外方向に伸びる第一上つまみ部と、前記第一上つまみ部の先端から下方に折り返された第一下つまみ部とを備える包装容器。
【請求項２】
請求項１において、
前記蓋が、前記基部の外側であって、前記開口部を挟んで前記第一つまみと反対側に設けられた第二つまみをさらに備え、
前記第二つまみが、前記開口部の外方向に伸びる第二上つまみ部と、前記第二上つまみ部の先端から下方に折り返された第二下つまみ部とを備える包装容器。
【請求項３】
請求項２において、
前記第二下つまみ部が、上方向に突出した凸曲面形状部を備える包装容器。
【請求項４】
請求項１から３のいすれかにおいて、
前記第一下つまみ部が、上方向に突出した凸曲面形状部を備える包装容器。
【請求項５】
開口部を備える容器と、前記開口部の周縁に付着された蓋とを有し、
前記蓋が、前記開口部を覆う基部と、前記基部の一端で上方に折り返された上蓋部材と、前記一端とは反対側の前記基部の他端で上方に折り返され、前記基部と前記上蓋部材に挟まれた中蓋部材とを備え、
前記上蓋部材が、前記他端の外側でさらに下方に折り返され、
前記中蓋部材の先端が、前記上蓋部材の下方への折り返し部まで伸び、
前記中蓋部材が、前記基部と前記上蓋部材の間で曲げられている包装容器。
【請求項６】
請求項５において、
前記中蓋部材の前記先端が前記上蓋部材に付着されている包装容器。
【請求項７】
開口部を備える容器と、前記開口部の周縁に付着された蓋とを有し、
前記蓋が、前記開口部を覆う基部と、前記基部の一端で上方に折り返され、前記一端とは反対側の他端で前記基部と接続されている上蓋部材とを備え、
前記基部の上面と、前記上蓋部材の下面に隙間が形成されている包装容器。
【発明の詳細な説明】
【技術分野】
【０００１】
本発明は、容器の開口部を覆っている蓋をはがして、容器の中身を使用する包装容器に関するものである。
【背景技術】
【０００２】
容器の開口部を蓋で覆っている包装容器として、図７に示すものが知られている。図７（ａ）は、従来の包装容器の断面を模式に示している。従来の包装容器７０は、容器７２と、容器７２の開口部７４の周縁に接着された蓋７６を備えている。容器７２には飲料７８が入っている。包装容器７０では、蓋７６のつまみ８０を持って引き上げた後、横方向に引いて容器７２から蓋７６をはがし、飲料７８を飲む。しかしながら、包装容器７０内が加圧されているため、容器７２から蓋７６をはがし始めたとき、図７（ｂ）に示すように、飲料７８が飛び出して、手が汚れることがある。また、蓋７６をはがし終わるときにも、図７（ｃ）に示すように、容器７２が揺れて飲料７８が飛び出すことがある。
【発明の概要】
【発明が解決しようとする課題】
【０００３】
本発明はこのような事情に鑑みてなされたものであり、蓋をはがすときに、容器から中身が飛び出すのを抑えた包装容器を提供することを目的とする。
【課題を解決するための手段】
【０００４】
本発明の第一の態様の包装容器は、開口部を備える容器と、開口部の周縁に付着された蓋とを有し、蓋が、開口部を覆う基部と、基部の外側に設けられた第一つまみを備え、第一つまみが、開口部の外方向に伸びる第一上つまみ部と、第一上つまみ部の先端から下方に折り返された第一下つまみ部とを備える。本発明の第一態様の包装容器において、蓋が、基部の外側であって、開口部を挟んで第一つまみと反対側に設けられた第二つまみをさらに備え、第二つまみが、開口部の外方向に伸びる第二上つまみ部と、第二上つまみ部の先端から下方に折り返された第二下つまみ部とを備えていてもよい。本発明の第一態様の包装容器において、第一下つまみ部が、上方向に突出した凸曲面形状部を備えることが好ましく、第二下つまみ部が、上方向に突出した凸曲面形状部を備えることが好ましい。
【０００５】
本発明の第二の態様の包装容器は、開口部を備える容器と、開口部の周縁に付着された蓋とを有し、蓋が、開口部を覆う基部と、基部の一端で上方に折り返された上蓋部材と、一端とは反対側の基部の他端で上方に折り返され、基部と上蓋部材に挟まれた中蓋部材とを備え、上蓋部材が、他端の外側でさらに下方に折り返され、中蓋部材の先端が、上蓋部材の下方への折り返し部まで伸び、中蓋部材が、基部と上蓋部材の間で曲げられている。本発明の第二態様の包装容器において、中蓋部材の先端が上蓋部材に付着されていてもよい。
【０００６】
本発明の第三の態様の包装容器は、開口部を備える容器と、開口部の周縁に付着された蓋とを有し、蓋が、開口部を覆う基部と、基部の一端で上方に折り返され、一端とは反対側の他端で基部と接続されている上蓋部材とを備え、基部の上面と、上蓋部材の下面に隙間が形成されている。
【発明の効果】
【０００７】
本発明によれば、蓋をはがすときに、容器から中身が飛び出すのを抑えられる。
【図面の簡単な説明】
【０００８】
【図１】本発明の第一実施形態に係る包装容器の上面図。
【図２】図１の包装容器のＡ−Ａ線断面図。
【図３】本発明の第一実施形態に係る包装容器から蓋をはがす方法を説明するための断面図。
【図４】本発明の第二実施形態に係る包装容器の断面図。
【図５】本発明の第二実施形態に係る包装容器から蓋をはがす方法を説明するための断面図。
【図６】本発明の第三実施形態に係る包装容器の断面図。
【図７】従来の包装容器の使用方法を説明するための断面図。
【発明を実施するための形態】
【０００９】
以下、本発明の包装容器について、図面を参照しながら実施形態に基づいて説明する。なお、図面は、包装容器、包装容器を構成する部材、および包装容器の周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
（第一の実施形態）
図１は、本発明の第一の実施形態に係る包装容器１０の上面図である。図２は、図１のＡ−Ａ線で切断したときの包装容器１０の断面図である。包装容器１０は、容器１２と、蓋１４を備えている。容器１２は、例えばプラスチック製であり、飲料などの中身１６が収容される。なお、容器１２は、金属や紙等のプラスチック以外から構成されていてもよい。また、中身１６は、化粧料、塗料、または薬剤等の飲料以外であってもよい。容器１２は、円形の開口部１８を備えている。なお、開口部１８の形状には特に制限がない。蓋１４は、例えば金属製のシートからなり、接着剤等によって開口部１８の周縁に付着されている。
【００１１】
なお、蓋１４は、プラスチックや紙等の金属以外から構成されていてもよい。包装容器１０では、開口部１８の周縁から蓋１４をはがして開口部１８を露出させて、中身１６を使用する、例えば飲料を飲む。蓋１４は、基部１９と、第一つまみ２０と、第二つまみ２２を備えている。なお、本実施形態では、蓋１４が第一つまみ２０と第二つまみ２２を備えているが、第二つまみ２２は設けなくてもよい。基部１９は、蓋１４の一部であって、開口部１８を覆っている部分である。第一つまみ２０および第二つまみ２２は、図１および図２に示すように、基部１９の外側に設けられている。そして、第二つまみ２２は、開口部を挟んで第一つまみ２０と反対側に設けられている。
【００１２】
第一つまみ２０は、第一上つまみ部２４と、第一下つまみ部２６を備えている。第一上つまみ部２４は、第一つまみ２０の一部であって、開口部１８の外方向に伸びた部分である。第一下つまみ部２６は、第一つまみ２０の一部であって、第一上つまみ部２４の先端から下方に折り返された部分である。第二つまみ２２は、第二上つまみ部２８と、第二下つまみ部３０を備えている。第二上つまみ部２８は、第二つまみ２２の一部であって、開口部１８の外方向に伸びている部分である。第二下つまみ部３０は、第二つまみ２２の一部であって、第二上つまみ部２８の先端から下方に折り返された部分である。
【００１３】
図３は、容器１２から蓋１４をはがす方法を示している。包装容器１０では、以下の手順で、容器１２から蓋１４をはがす。まず、図３（ａ）に示すように、第一上つまみ部２４および第一下つまみ部２６を、例えば二本の指（不図示）でつまんで第一つまみ２０を上方に引っ張り、開口部１８の端部を露出させる。このとき、容器１２内の圧力が高く、中身１６が飛び出したとしても、露出した開口部１８を第一下つまみ部２６が覆っているため、中身１６が飛び散って第一つまみ２０をつまんでいる手を汚すことは、ほとんどない。また、飛び散った中身１６を第一つまみ２０の裏側で受け止めることで、容器１２の周りに中身１６が飛び散るのを抑えることができる。
【００１４】
つぎに、図３（ｂ）に示すように、第二上つまみ部２８および第二下つまみ部３０を、例えば二本の指（不図示）でつまんで第二つまみ２２を上方に引っ張り、開口部１８の反対側の端部を露出させる。そして、図３（ｃ）に示すように、第二つまみ２２を上方に引っ張り続けて、蓋１４を容器１２からはがす。蓋１４が容器１２からはがれる直前には、蓋１４が開口部１８の周縁の二か所に付着していることになる。なお、本実施形態では、第二つまみ２２を上方に引っ張り続けて蓋１４を容器１２から引き離すが、第一つまみ２０を上方に引っ張り、蓋１４を容器１２から引き離してもよいし、第一つまみ２０および第二つまみ２２の両方をつまんで上方に引っ張り、蓋１４を容器１２からはがしてもよい。
【００１５】
図７に示す従来の包装容器７０では、蓋７６が容器７２から離れる瞬間に、開口部７４の輪郭である円の法線方向に蓋７６を引っ張るため、容器７２が揺れて飲料７８がこぼれる場合がある。これに対して、本実施形態の包装容器１０では、開口部１８の輪郭である円の接線方向に蓋１４を引っ張って開口部１８から蓋１４をはがす。このため、蓋１４がはがれるときに容器１２が揺れにくく、中身１６がこぼれるのを抑えられる。
【００１６】
さらに、包装容器１０では、蓋１４が開口部１８の周縁の二か所からほぼ同時に離れるため、蓋１４を引きはがすときに容器１２に加わる力が分散される。これも、容器１２が揺れにくい理由である。なお、第一下つまみ部２６および第二下つまみ部３０の少なくとも一方は、上方向に突出した凸曲面形状部、すなわち上方向にふくらんだ曲面を備えることが好ましい。第一下つまみ部２６および第二下つまみ部３０をつまんだときに、第一下つまみ部２６および第二下つまみ部３０の先部分で露出した開口部１８を覆いやすく、中身１６の飛び散りをより抑えられるからである。なお、第二つまみ２２を設けない場合には、蓋１４を容器１２からはがさず、露出した開口部１８から中身１６を取り出す、例えば飲料を飲むことが好ましい。
【００１７】
（第二の実施形態）
図４は、本発明の第二の実施形態に係る包装容器４０の断面図である。包装容器４０は、容器１２と、蓋４４を備えている。容器１２は、開口部１８を備えている。蓋４４は、開口部１８の周縁に付着されている。容器１２および蓋４４の材質は、第一の実施形態の包装容器１０の場合と同様である。包装容器４０では、開口部１８の周縁から蓋４４をはがして開口部１８を露出させ、中身１６を使用する。
【００１８】
蓋４４は、基部４６と、上蓋部材４８と、中蓋部材５０を備えている。基部４６は、蓋４４の一部であって、開口部１８を覆っている部分である。上蓋部材４８は、蓋４４の一部であって、基部４６の一端４６ａで上方に折り返されている部分である。中蓋部材５０は、蓋４４の一部であって、一端４６ａと反対側の基部４６の他端４６ｂで上方に折り返されている部分である。中蓋部材５０は、基部４６と上蓋部材４８に挟まれている。さらに、上蓋部材４８は、基部４６の他端４６ｂの外側で下方に折り返されている。
【００１９】
そして、中蓋部材５０の先端５０ａ、すなわち基部４６の他端４６ｂでの折り返し部と反対側は、上蓋部材４８の下方への折り返し部まで伸びている。中蓋部材５０は、図４に示すように、基部４６と上蓋部材４８の間で曲げられている。中蓋部材５０は、基部４６と上蓋部材４８の間で、折り目なく曲げられていてもよいし、折り曲げられていてもよい。なお、中蓋部材５０の先端５０ａは、上蓋部材４８の下方への折り返し部付近に付着されていてもよい。中蓋部材５０の先端５０ａが上蓋部材４８の下方への折り返し部付近に付着されていれば、上蓋部材４８の下方への折り返し部付近からずれるのを防ぐことができる。
【００２０】
図５は、容器１２から蓋４４をはがす方法を示している。包装容器４０では、以下の手順で、容器１２から蓋４４をはがす。まず、図５（ａ）に示すように、上蓋部材４８で中蓋部材５０を挟みながら、上蓋部材４８および中蓋部材５０を、例えば二本の指（不図示）でつまんで上方に引っ張る。こうして、図５（ｂ）に示すように、開口部１８の端部が露出する。このとき、容器１２内の圧力が高く、中身１６が飛び出したとしても、露出した開口部１８を上蓋部材４８が覆っているため、中身１６が飛び散って上蓋部材４８をつまんでいる手を汚すことは、ほとんどない。
【００２１】
つぎに、図５（ｃ）に示すように、上蓋部材４８および中蓋部材５０を上方に引っ張り続けると、開口部１８の反対側の端部が露出する。そして、図５（ｄ）に示すように、上蓋部材４８および中蓋部材５０をさらに上方に引っ張り続けて、蓋４４を容器１２からはがす。包装容器４０でも、第一の実施形態の包装容器１０と同様に、開口部１８の輪郭である円の接線方向に蓋４４を引っ張って開口部１８から蓋４４をはがす。このため、蓋４４がはがれるときに容器１２が揺れにくく、中身１６がこぼれるのを抑えられる。さらに、蓋４４が開口部１８の二か所からほぼ同時に離れるため、蓋４４を引きはがすときに容器１２に加わる力が分散されることも、容器１２が揺れにくい要因となる。なお、蓋４４は、一枚のシートから成形できるため、製造コストを抑えられる。
【００２２】
（第三の実施形態）
図６は、本発明の第三の実施形態に係る包装容器６０の断面図である。包装容器６０は、容器１２と、蓋６４を備えている。容器１２は、開口部１８を備えている。蓋６４は、開口部１８の周縁に付着されている。容器１２および蓋６４の材質は、第一の実施形態の包装容器１０の場合と同様である。包装容器６０では、開口部１８の周縁から蓋６４をはがして開口部１８を露出させ、中身１６を使用する。蓋６４は、基部６６と、上蓋部材６８を備えている。
【００２３】
基部６６は、蓋６４の一部であって、開口部１８を覆っている部分である。上蓋部材６８は、基部の一端で上方に折り返され、この一端とは反対側の他端で基部と接続されている。そして、基部６６の上面と、上蓋部材６８の下面に隙間Ｓが形成されている。すなわち、蓋６４は、筒形状を備えるシートであって、その側面の一部が開口部１８を覆っている。
【００２４】
蓋６４がこのような形状であるため、隙間Ｓに指や棒状部材を入れて、蓋６４を上方に引っ張り続けると、第二の実施形態の包装容器４０と同様に、開口部１８の両端が露出し、蓋６４が開口部１８の二か所からほぼ同時に離れる。このため、蓋６４を引きはがすときに容器１２が揺れにくい。また、指を隙間Ｓに入れているので、蓋６４を容器１２からはがして開口部１８が露出し始めたときに、中身１６が開口部１８から飛び出しても、指が中身１６で汚れるのを抑えることができる。
【符号の説明】
【００２５】
１０  包装容器
１２  容器
１４  蓋
１６  中身
１８  開口部
１９  基部
２０  第一つまみ
２２  第二つまみ
２４  第一上つまみ部
２６  第一下つまみ部
２８  第二上つまみ部
３０  第二下つまみ部
４０  包装容器
４４  蓋
４６  基部
４６ａ  基部の一端
４６ｂ  基部の他端
４８  上蓋部材
５０  中蓋部材
５０ａ  中蓋部材の先端
６０  包装容器
６４  蓋
６６  基部
６８  上蓋部材
７０  包装容器
７２  容器
７４  開口部
７６  蓋
７８  飲料
８０  つまみ
Ｓ  隙間
【図１】
2017218162.tif 000003
【図２】
2017218162.tif 000004
【図３】
2017218162.tif 000005
【図４】
2017218162.tif 000006
【図５】
2017218162.tif 000007
【図６】
2017218162.tif 000008
【図７】
2017218162.tif 000009